(57)【要約】【課題】タッチパネル上のユーザの指または手の接触状態に基づいて、より少ない操作でディスプレイの輝度を変更する。【解決手段】輝度が変化する表示手段と、タッチパネル上にユーザの指または手が接触している接触面積を検出する接触面積検出手段と、ユーザの指または手の移動方向を検出する移動方向検出手段と、接触面積と移動方向から表示手段の輝度の変化量を算出する輝度変化量算出手段と、輝度の変化量に基づいて表示手段の輝度を制御する輝度制御手段と、を備える。【選択図】図６
2012194727.tif 000002
【特許請求の範囲】
【請求項１】
タッチパネルを備えた電子機器であって、
輝度が変化する表示手段と、
前記タッチパネル上にユーザの指または手が接触している接触面積を検出する接触面積検出手段と、
前記接触面積から前記表示手段の輝度の変化量を算出する輝度変化量算出手段と、
前記輝度の変化量に基づいて前記表示手段の輝度を制御する輝度制御手段と、
を備えた電子機器
【請求項２】
前記タッチパネル上に接触しているユーザの指の接触数を検出する接触数検出手段を備え、
前記輝度変化量算出手段では、前記接触面積と前記接触数検出手段で検出した前記接触数に応じて前記輝度の変化量を算出する
請求項１記載の電子機器。
【請求項３】
前記タッチパネル上に接触しているユーザの指または手の移動方向を検出する移動方向検出手段を備え、
前記輝度変化量算出手段では、前記接触面積と前記移動方向に基づいて前記輝度の変化量を算出する
請求項１もしくは請求項２記載の電子機器。
【請求項４】
タッチパネルを備えた電子機器であって、
前記タッチパネル上にユーザの指または手が接触している接触面積を検出する接触面積検出手段と、
前記接触面積から前記電子機器の機能に関する連続的な制御量を算出する制御量算出手段と、
前記連続的な制御量に基づいて前記電子機器の機能を制御する機能制御手段と、
を備えた電子機器。
【請求項５】
前記タッチパネル上に接触しているユーザの指の接触数を検出する接触数検出手段を備え、
前記制御量算出手段では、前記接触数検出手段で検出した前記接触数に応じて前記連続的な制御量を算出する請求項４記載の電子機器。
【請求項６】
前記タッチパネル上に接触しているユーザの指または手の移動方向を検出する移動方向検出手段を備え、
前記制御量算出手段では、前記接触面積と前記移動方向に基づいて前記連続的な制御量を算出する請求項４もしくは請求項５記載の電子機器。
【発明の詳細な説明】
【技術分野】
【０００１】
本発明は、タッチパネルを備え、ディスプレイの輝度を変更する電子機器に関する。
【背景技術】
【０００２】
ディスプレイを備えた電子機器は、屋外で使う場合に周囲の明るさによってディスプレイが見えづらくなる場合がある。その解決策の１つとして、ディスプレイの輝度を変えることによって見易くする手段がある。
【０００３】
従来、タッチパネルを備えた電子機器のディスプレイ輝度の変更手段として、照度センサにより照度を測定し、周囲の明るさによって自動的に輝度を変更する手段と、ユーザ操作によりディスプレイ上のスライドバー等を操作して輝度を変更する手段がある。このうち、ユーザ操作によって輝度を変更する場合、ディスプレイ上にスライドバーを表示するための操作が事前に必要になり、手間がかかる。
【０００４】
これに対し、特許文献１では、タッチパネルディスプレイに対して、指で接触し移動した方向と移動量で輝度の変更を行うことにより、スライドバーを表示する操作を省略して、輝度の変更を実現している。
【先行技術文献】
【特許文献】
【０００５】
【特許文献１】特開平８−３０５４９７号公報
【特許文献２】特開２０１０−１８２１８５号公報
【発明の概要】
【発明が解決しようとする課題】
【０００６】
しかしながら、従来の手法では指の移動量に対する輝度の変化量が固定のため、移動量に対する変化量を小さく設定した場合、輝度を大きく変えるためにはタッチパネル上での指の移動操作を繰り返し行うという手間が発生し、移動量に対する変化量を大きくした場合、わずかな操作で輝度が急峻に変化してしまうため、細かな輝度調整が困難となる。
【課題を解決するための手段】
【０００７】
本発明の電子機器は、タッチパネルを備えた電子機器であって、輝度が変化する表示手段と、前記タッチパネル上にユーザの指または手が接触している接触面積を検出する接触面積検出手段と、前記接触面積から前記表示手段の輝度の変化量を算出する輝度変化量算出手段と、前記輝度の変化量に基づいて前記表示手段の輝度を制御する輝度制御手段とを備えるものである。
【０００８】
この構成により、指先等でタッチパネルに触れ、接触面積が小さな状態で移動する際は輝度の変化量を小さく、手のひら等でタッチパネルに触れ、接触面積が大きな状態で移動する際は輝度の変化量を大きくすることで、少ない操作でユーザが望む輝度への調整を実現することができる。
【０００９】
また、本発明の電子機器は、前記タッチパネル上に接触している指の接触数を検出する接触数検出手段をさらに備え、前記輝度変化量算出手段では、前記接触面積と前記接触数検出手段で検出した前記接触数に応じて前記輝度の変化量を算出する。
【００１０】
この構成により、一本の指でタッチパネルに触れて移動する場合は、輝度の変化量を小さく、複数の指で同時にタッチパネルに触れて移動する場合は、輝度の変化量を大きくすることで、少ない操作でユーザが望む輝度への調整を実現することができる。
【００１１】
また、本発明の電子機器は、前記タッチパネルに接触している指または手の移動方向を検出する移動方向検出手段をさらに備え、前記輝度変化量算出手段では、前記接触面積と前記移動方向に基づいて前記輝度の変化量を算出する。
【００１２】
この構成により、タッチパネル上で指または手を特定方向に移動した場合は輝度を高く、別の方向に移動した場合は輝度を低くすることができる。
【発明の効果】
【００１３】
本発明の電子機器によれば、ディスプレイの輝度を変えたい場合に、指先等でタッチパネルに触れ、接触面積が少ない状態で移動する際は輝度の変化量を小さく、手のひら等でタッチパネルに触れ、接触面積が大きな状態で移動する際は輝度の変化量を大きくすることができるため、少ない操作でユーザが望む輝度への調整を実現することができる。
【００１４】
また、一本の指でタッチパネルに触れて移動する場合は、輝度の変化量を少なく、複数本の指で同時にタッチパネルに触れて移動する場合は、輝度の変化量を大きくできるため、少ない操作でユーザが望む輝度への調整を実現することができる。
【００１５】
さらに、タッチパネル上で指または手を特定方向に移動した場合は輝度を高く、別の方向に移動した場合は輝度を低くすることができる。
【図面の簡単な説明】
【００１６】
【図１】本発明の実施の形態における電子機器の操作を示す図
【図２】本発明の実施の形態１における電子機器の構成を示す図
【図３】本発明の実施の形態１における電子機器の動作を示すフローチャート
【図４】本発明の実施の形態２における電子機器の構成を示す図
【図５】本発明の実施の形態２における電子機器の動作を示すフローチャート
【図６】本発明の実施の形態３における電子機器の構成を示す図
【図７】本発明の実施の形態３における電子機器の動作を示すフローチャート
【発明を実施するための形態】
【００１７】
以下、本発明の実施の形態について、図面を参照しながら説明する。
【００１８】
図１は、本発明の実施の形態における電子機器の操作を示す図である。
【００１９】
図１に示すように、本発明の実施の形態におけるタッチパネル式の電子機器１は、ユーザの指または手がディスプレイに接触し移動したことを検出した際に、その接触面積、接触数、移動方向を測定し、それらの値に応じてディスプレイの輝度を変更する。
（実施の形態１）
図２は、本発明の実施の形態１における電子機器の構成を示す図である。図２に示すように、本実施の形態におけるタッチパネル式の電子機器１は、表示手段１１、接触面積検出手段１２、輝度変化量算出手段１３、輝度制御手段１４、から構成される。
【００２０】
表示手段１１は、前記輝度制御手段１４からの制御に応じてディスプレイの輝度を変更する機能を有する。接触面積検出手段１２は、ユーザの指または手がタッチパネルに接触している面積を検出する機能を有する。輝度変化量算出手段１３は、接触面積検出手段１２が検出したタッチパネルへの接触面積に基づいて、前記表示手段１１のディスプレイ輝度の変化量を算出する機能を有する。輝度制御手段１４は、輝度変化量算出手段１３が算出したディスプレイ輝度の変化量に応じて、前記表示手段１１に対し輝度制御を行う機能を有する。
【００２１】
図３は、本実施の形態における電子機器の動作を説明するフローチャートである。
【００２２】
まず、タッチパネル式の電子機器１はタッチパネルに対するユーザの指または手の接触を検出する（Ｓ１０１）。
【００２３】
次に、タッチパネル式の電子機器１がタッチパネルに対するユーザの指の接触を検出した場合、接触面積検出手段１２が、ユーザの指または手の接触面積を検出する（Ｓ１０２）。
【００２４】
次に、輝度変化量算出手段１３は、接触面積検出手段１２が検出した接触面積に基づいてディスプレイ輝度の変化量を算出する（Ｓ１０３）。接触面積が大きい場合は変化量が大きく、接触面積が小さい場合は変化量が小さくなるようにする。
【００２５】
そして、輝度制御手段１４は、輝度変化量算出手段１３が算出したディスプレイ輝度の変化量に応じて、表示手段１１に対しディスプレイ輝度の設定を行う（Ｓ１０４）。
【００２６】
ユーザの指または手がタッチパネルに触れている間、上記の処理を繰り返し実行することにより、接触面積に基づいたディスプレイの輝度変更が行われる。
【００２７】
なお、ディスプレイの輝度を高い方向に変化させる、もしくは低い方向に変化させるための区別は、ユーザの指または手がタッチパネル上の特定の領域に接触していることに基づいてもよいし、後述する実施の形態３のように、ユーザの指または手がタッチパネル上を移動する方向によって判定してもよい。
【００２８】
本実施の形態により、指先等でタッチパネルに触れる接触面積が少ない状態では輝度の変化量を小さく、手のひら等でタッチパネルに触れる接触面積が大きな状態では輝度の変化量を大きくすることができるため、より少ない操作でディスプレイの輝度調整を細かく行うことができる。
（実施の形態２）
図４は、本発明の実施の形態２における電子機器の構成を示す図である。
【００２９】
図４に示すように、本実施の形態におけるタッチパネル式の電子機器１は、実施の形態１に記載の構成要素に加え、接触数検出手段１５から構成される。接触数検出手段１５は、ユーザの１本または複数本の指がタッチパネルに接触している接触数を検出する機能を有する。
【００３０】
図５は、本実施の形態における電子機器の動作を説明するフローチャートである。
【００３１】
まず、タッチパネル式の電子機器１はタッチパネルに対するユーザの指の接触を検出する（Ｓ２０１）。
【００３２】
次に、タッチパネル式の電子機器１がタッチパネルに対するユーザの指の接触を検出した場合、接触数検出手段１５がユーザの指のタッチパネルへの接触数を検出する（Ｓ２０２）。また、接触面積検出手段１２が、ユーザの指の接触面積を検出する（Ｓ２０３）。
【００３３】
次に、輝度変化量算出手段１３は、接触数検出手段１５が検出した接触数と接触面積検出手段１２が検出した接触面積に基づいてディスプレイ輝度の変化量を算出する（Ｓ２０４）。指の接触数が多く接触面積が大きいほど変化量が大きく、指の接触数が少なく接触面積が小さいほど変化量が小さくなるようにする。
【００３４】
そして、輝度制御手段１４は、輝度変化量算出手段１３が算出したディスプレイ輝度の変化量に応じて、表示手段１１に対しディスプレイ輝度の設定を行う（Ｓ２０５）。
【００３５】
ユーザの指がタッチパネルに触れている間、上記の処理を繰り返し実行することにより、接触数と接触面積に基づいたディスプレイの輝度変更が行われる。
【００３６】
なお、ディスプレイの輝度を高い方向に変化させる、もしくは低い方向に変化させるための区別は、ユーザの指がタッチパネル上の特定の領域に接触していることに基づいてもよいし、後述する実施の形態３のように、ユーザの指がタッチパネル上を移動する方向によって判定してもよい。
【００３７】
本実施の形態により、一本の指でタッチパネルに触れる接触面積が少ない状態では輝度の変化量を小さく、複数本の指でタッチパネルに触れる接触面積が大きな状態では輝度の変化量を大きくすることができるため、より少ない操作でディスプレイの輝度調整を細かく行うことができる。
（実施の形態３）
図６は、本発明の実施の形態３における電子機器の構成を示す図である。
【００３８】
図６に示すように、本実施の形態におけるタッチパネル式の電子機器１は、実施の形態１に記載の構成要素に加え、移動方向検出手段１６から構成される。移動方向検出手段１６は、ユーザの指または手がタッチパネルに接触して移動した方向を検出する機能を有する。
【００３９】
図７は、本実施の形態における電子機器の動作を説明するフローチャートである。
【００４０】
まず、タッチパネル式の電子機器１はタッチパネルに対するユーザの指の接触を検出する（Ｓ３０１）。
【００４１】
次に、タッチパネル式の電子機器１がタッチパネルに対するユーザの指の接触を検出した場合、移動方向検出手段１６が、タッチパネル上でのユーザの指または手の移動方向を検出する（Ｓ３０２）。また、接触面積検出手段１２が、ユーザの指または手の接触面積を検出する（Ｓ３０３）。
【００４２】
次に、輝度変化量算出手段１３は、移動方向検出手段１６が検出したユーザの指または手の移動方向と接触面積検出手段１２が検出した接触面積に基づいてディスプレイ輝度の変化方向と変化量を算出する（Ｓ３０４）。輝度の変化方向は、例えば、指または手をタッチパネル上で上方向に移動した場合には輝度が高くなる方向に、下方向に移動した場合には輝度が低くなる方向に設定する。また、実施の形態１と同様に、接触面積が大きい場合は変化量が大きく、接触面積が小さい場合は変化量が小さくなるようにする。
【００４３】
そして、輝度制御手段１４は、輝度変化量算出手段１３が算出したディスプレイ輝度の変化方向と変化量に応じて、表示手段１１に対しディスプレイ輝度の設定を行う（Ｓ３０５）。
【００４４】
ユーザの指または手がタッチパネルに触れている間、上記の処理を繰り返し実行することにより、移動方向と接触面積に基づいたディスプレイの輝度変更が行われる。
【００４５】
本実施の形態により、実施の形態１の効果に加えて、タッチパネル上で指または手を特定方向に移動した場合は輝度を高く、別の方向に移動した場合は輝度を低くすることができる。
【００４６】
なお、本発明は輝度変化量算出手段１３の制御先を変えることにより、タッチパネル式の電子機器１の機能に関する連続的な制御パラメータ（音楽等の音量、画面のコントラスト、動画の倍速再生速度）の調整に応用することが可能である。
【産業上の利用可能性】
【００４７】
本発明は、指先等、タッチパネル上の接触面積が少ない状態ではディスプレイの輝度の変化量を小さく、手のひら等、タッチパネル上の接触面積が大きな状態ではディスプレイの輝度の変化量を大きくすることができるため、タッチパネルを有する携帯電話やPDAなどの電子機器への適用が可能である。
【符号の説明】
【００４８】
１    タッチパネル式の電子機器
１１    表示手段
１２    接触面積検出手段
１３    輝度変化量算出手段
１４    輝度制御手段
１５    接触数検出手段
１６    移動方向検出手段
【図１】
2012194727.tif 000003
【図２】
2012194727.tif 000004
【図３】
2012194727.tif 000005
【図４】
2012194727.tif 000006
【図５】
2012194727.tif 000007
【図６】
2012194727.tif 000008
【図７】
2012194727.tif 000009